(57)【要約】【課題】ディスプレイエクステンション装置を提供する。【解決手段】支持体と、支持体に一端が結合されるリンク部と、リンク部の節点に結合される駆動部と、リンク部の他端に結合される移動体を含み、移動体はリンク部の駆動に応じて上記支持体から離隔されるディスプレイエクステンション装置は、ディスプレイを支持体から離隔させることができるのでディスプレイの回転角を確保することができ、このような離隔及び回転動作を自動及び受動で行うことができて便宜性が増大され、受動で動作させる場合にもモータに無理をさせないので装置の耐久性が増加されることができる。【選択図】図５ａ
2007264634.tif 000002
【特許請求の範囲】
【請求項１】
支持体と、
前記支持体に一端が結合されるリンク部と、
前記リンク部の節点に結合される駆動部と、
前記リンク部の他端に結合される移動体を含み、前記移動体は前記リンク部の駆動に応じて前記支持体から離隔されるディスプレイエクステンション装置。
【請求項２】
前記リンク部は、
前記支持体に結合される第１ヒンジ部材と、
前記移動体に結合される第２ヒンジ部材と、
一端部が前記第１ヒンジ部材に回動可能に結合される第１リンク部材と、
一端部が前記第２ヒンジ部材に回動可能に結合される第２リンク部材を含む請求項１に記載のディスプレイエクステンション装置。
【請求項３】
前記駆動部は、モータ部と、前記モータ部の駆動軸に結合されて回転する回転部を含み、前記モータ部は前記第１ヒンジ部材または前記第２ヒンジ部材に結合され、前記回転部は前記第１ヒンジ部材または前記第２ヒンジ部材にそれぞれ対応されるように結合された前記第１リンク部材または前記第２リンク部材に結合される請求項２に記載のディスプレイエクステンション装置。
【請求項４】
前記リンク部は、
前記第１ヒンジ部材から離隔されて前記支持体に結合される第１ガイド部材と、
前記第２ヒンジ部材から離隔されて前記移動体に結合される第２ガイド部材をさらに含み、
前記第１リンク部材と前記第２リンク部材は互いに交差するし、
前記第１リンク部材の他端部は前記第２ガイド部材に応じて移動可能に結合され、前記第２リンク部材の他端部は前記第１ガイド部材に応じて移動可能に結合される請求項２に記載のディスプレイエクステンション装置。
【請求項５】
前記駆動部は、モータ部と、前記モータ部の駆動軸に結合されて回転する回転部を含み、前記第１リンク部材と前記第２リンク部材が交差する地点で結合され、前記モータ部は前記第１リンク部材または前記第２リンク部材に結合され、前記回転部は前記モータ部が結合されない前記第２リンク部材または前記第１リンク部材に結合される請求項４に記載のディスプレイエクステンション装置。
【請求項６】
前記駆動部は、モータ部と、前記モータ部の駆動軸に結合されて前記モータ部の回転に応じて前記駆動軸の長さ方向に伸縮される伸縮部を含み、前記モータ部は前記第１ガイド部材または前記第２ガイド部材に結合され、前記伸縮部は前記第１ガイド部材または前記第２ガイド部材にそれぞれ対応されるように結合された前記第２リンク部材の一端、または前記第１リンク部材の他端に結合される請求項４に記載のディスプレイエクステンション装置。
【請求項７】
前記リンク部は、
前記第１ヒンジ部材から離隔されて前記支持体に結合される第３ヒンジ部材と、
前記第２ヒンジ部材から離隔されて前記移動体に結合される第４ヒンジ部材と、
第５ヒンジ部材を介在して一端部が前記第１リンク部材の他端部に回動可能に結合され、他端部は前記第４ヒンジ部材に回動可能に結合される第３リンク部材と、
第６ヒンジ部材を介在して一端部が前記第２リンク部材の他端部に回動可能に結合され、他端部は前記第３ヒンジ部材に回動可能に結合される第４リンク部材をさらに含む請求項２に記載のディスプレイエクステンション装置。
【請求項８】
前記第５ヒンジ部材及び前記第６ヒンジ部材と結合されて、長さ方向を軸とする回転に応じて前記第５ヒンジ部材と前記第６ヒンジ部材の間の距離を調節するウォームギア部材をさらに含む請求項７に記載のディスプレイエクステンション装置。
【請求項９】
前記駆動部は、モータ部と、前記モータ部の駆動軸に結合されて回転する回転部を含み、前記回転部は前記ウォームギア部材に結合される請求項８に記載のディスプレイエクステンション装置。
【請求項１０】
前記ウォームギア部材は、
一端部に前記第５ヒンジ部材に結合されるウォームギアが形成された第１ロッドと、
一端部に前記第６ヒンジ部材に結合されるウォームギアが形成された第２ロッドと、
一端部に前記第１ロッドの他端部が挿入されるし他端部に前記第２ロッドの他端部が挿入されるパイプを含み、
前記パイプの内周面には長さ方向に延長されるガイド溝またはガイド突起が形成されているし、前記第１ロッドの他端部及び前記第２ロッドの他端部には前記ガイド溝に対応する突起または前記ガイド突起に対応する溝が形成される請求項８または９に記載のディスプレイエクステンション装置。
【請求項１１】
前記第１ヒンジ部材の外周面に結合される第１ギアと、
前記第３ヒンジ部材の外周面に結合されて、前記第１ギアとギア結合される第２ギアをさらに含む請求項７に記載のディスプレイエクステンション装置。
【請求項１２】
前記第２ヒンジ部材の外周面に結合される第１ギアと、
前記第４ヒンジ部材の外周面に結合されて、前記第１ギアとギア結合される第２ギアをさらに含む請求項７に記載のディスプレイエクステンション装置。
【請求項１３】
前記第１ギアと前記第２ギアは、偶数個のアイドルギア（ｉｄｌｅ ｇｅａｒ）を媒介として結合される請求項１１または１２に記載のディスプレイエクステンション装置。
【請求項１４】
前記駆動部は、モータ部と、前記モータ部の駆動軸に結合されて回転する回転部を含み、前記回転部は前記第１ギアまたは前記第２ギアに結合される請求項１１または１２に記載のディスプレイエクステンション装置。
【請求項１５】
前記回転部は、前記駆動軸に結合されるクラッチ部と、前記クラッチ部に接する被動軸を含み、前記モータ部の駆動力は前記クラッチ部と前記被動軸の間の摩擦力より小さいことを特徴とする請求項１４に記載のディスプレイエクステンション装置。
【請求項１６】
前記駆動部は、モータ部と、前記モータ部の駆動軸に結合されて回転する回転部を含み、前記モータ部は前記第１リンク部材の他端部または前記第３リンク部材の一端部に結合され、前記回転部は前記モータ部が結合されない前記第３リンク部材の一端部または前記第１リンク部材の他端部に結合される請求項１１または１２に記載のディスプレイエクステンション装置。
【請求項１７】
前記駆動部は、モータ部と、前記モータ部の駆動軸に結合されて回転する回転部を含み、前記モータ部は前記第２リンク部材の他端部または前記第４リンク部材の一端部に結合され、前記回転部は前記モータ部が結合されない前記第４リンク部材の一端部または前記第２リンク部材の他端部に結合される請求項１１または１２に記載のディスプレイエクステンション装置。
【請求項１８】
前記回転部は、前記駆動軸に結合されるクラッチ部と、前記クラッチ部に接する被動軸を含み、前記モータ部の駆動力は前記クラッチ部と前記被動軸の間の摩擦力より小さいことを特徴とする請求項３、５、６、９のいずれか一項に記載のディスプレイエクステンション装置。
【請求項１９】
前記クラッチ部と前記被動軸の間の摩擦力は、前記モータ部のコギング（ｃｏｇｇｉｎｇ）トルクより小さいことを特徴とする請求項１８に記載のディスプレイエクステンション装置。
【請求項２０】
前記クラッチ部と前記被動軸の間には一つ以上のワッシャが介在される請求項１８に記載のディスプレイエクステンション装置。
【発明の詳細な説明】
【技術分野】
【０００１】
本発明は、ディスプレイエクステンション装置（Ｅｘｔｅｎｓｉｏｎ ａｐｐａｒａｔｕｓ ｏｆ ｄｉｓｐｌａｙ）に関する。
【背景技術】
【０００２】
ＬＣＤ、ＰＤＰ、ＬＥＤなどが適用されたＴＶやモニタのような平板型ディスプレイは、狭い空間を効率的に用いることができる長所があるため、ブラウン管ＴＶやモニタを代替しているし、今後ともその需要が増える見込みである。特に平板型ＬＣＤやＰＤＰＴＶは一名「壁掛け型ＴＶ」と称して、壁面に固定附着された形態で使用されている。このように固定附着された形態の壁掛け型ＴＶを視聴する際には、ＴＶの正面に位置すると一番広く画面を見ることができる。
【０００３】
しかし、ＴＶが壁面に固定されている場合、ＴＶ画面を一番広く見ることができる位置も固定されることになるので、視聴者が位置を変更することに応じて円満な視聴が難しくなることもある。従来の壁掛け型ＴＶは、壁体との隔離距離がほとんどないかまたは狭くてＴＶの位置を変更しにくいし、別途の部材を結合してＴＶを壁面から離隔させてもＴＶを任意の方向に回転させることができないという問題がある。また、このような問題を解決するために一定した隔離距離を維持する装置を用いると、壁面に附着して美麗な外観を有しながら室内空間を広く用いることができるという壁掛け型ＴＶの長所が消えてしまう問題点がある。
【発明の開示】
【発明が解決しようとする課題】
【０００４】
本発明は、室内空間を余裕に活用することができる壁掛け型ＴＶのようなディスプレイの長所をいかしながら、視聴者の位置が変わっても最大限の視聴角を確保することができるディスプレイエクステンション装置を提供する。
【課題を解決するための手段】
【０００５】
本発明の一実施形態によれば、支持体と、支持体に一端が結合されるリンク部と、リンク部の節点に結合される駆動部と、リンク部の他端に結合される移動体を含み、移動体はリンク部の駆動に応じて上記支持体から離隔されるディスプレイエクステンション装置が提供される。
【０００６】
リンク部は、支持体に結合される第１ヒンジ部材と、移動体に結合される第２ヒンジ部材と、一端部が第１ヒンジ部材に回動可能に結合される第１リンク部材と、一端部が第２ヒンジ部材に回動可能に結合される第２リンク部材を含むことができる。
【０００７】
駆動部は、モータ部と、モータ部の駆動軸に結合されて回転する回転部を含むことが好ましい。モータ部は第１ヒンジ部材または第２ヒンジ部材に結合され、回転部は、第１ヒンジ部材または第２ヒンジ部材にそれぞれ対応されるように結合された第１リンク部材または第２リンク部材に結合されることができる。
【０００８】
一方、リンク部は、第１ヒンジ部材から離隔されて支持体に結合される第１ガイド部材と、第２ヒンジ部材から離隔されて移動体に結合される第２ガイド部材をさらに含み、第１リンク部材と第２リンク部材は互いに交差するし、第１リンク部材の他端部は第２ガイド部材に応じて移動可能に結合され、第２リンク部材の他端部は第１ガイド部材に応じて移動可能に結合されることができる。
【０００９】
この場合、駆動部は、第１リンク部材と第２リンク部材が交差する地点で結合され、モータ部は第１リンク部材または第２リンク部材に結合され、回転部はモータ部が結合されない第２リンク部材または第１リンク部材に結合されることができる。
【００１０】
また、駆動部は、モータ部と、モータ部の駆動軸に結合されてモータ部の回転に応じて駆動軸の長さ方向に伸縮される伸縮部を含み、モータ部は、第１ガイド部材または第２ガイド部材に結合され、伸縮部は、第１ガイド部材または第２ガイド部材にそれぞれ対応されるように結合された第２リンク部材の一端、または第１リンク部材の他端に結合されることができる。
【００１１】
一方、リンク部は、第１ヒンジ部材から離隔されて支持体に結合される第３ヒンジ部材と、第２ヒンジ部材から離隔されて移動体に結合される第４ヒンジ部材と、第５ヒンジ部材を介在して一端部が第１リンク部材の他端部に回動可能に結合され、他端部は第４ヒンジ部材に回動可能に結合される第３リンク部材と、第６ヒンジ部材を介在して一端部が第２リンク部材の他端部に回動可能に結合され、他端部は第３ヒンジ部材に回動可能に結合される第４リンク部材をさらに含むことができる。さらに、第５ヒンジ部材及び第６ヒンジ部材と結合され、長さ方向を軸として回転することに応じて第５ヒンジ部材と第６ヒンジ部材間の距離を調節するウォームギア部材をさらに含むことができる。この場合、駆動部の回転部はウォームギア部材に結合されることができる。
【００１２】
ウォームギア部材は、一端部に第５ヒンジ部材に結合されるウォームギアが形成された第１ロッドと、一端部に第６ヒンジ部材に結合されるウォームギアが形成された第２ロッドと、一端部に第１ロッドの他端部が挿入されるし他端部に第２ロッドの他端部が挿入されるパイプを含み、パイプの内周面には長さ方向に延長されるガイド溝またはガイド突起が形成され、第１ロッドの他端部及び第２ロッドの他端部にはガイド溝に対応する突起または上記ガイド突起に対応する溝が形成されることができる。
【００１３】
第１ヒンジ部材または第２ヒンジ部材の外周面に結合される第１ギア、第３ヒンジ部材または第４ヒンジ部材の外周面に結合されるし第１ギアとギア結合される第２ギアをさらに含むことができる。第１ギアと第２ギアは偶数個のアイドルギア（ｉｄｌｅ ｇｅａｒ）を媒介として結合されることができる。この場合、駆動部の回転部は第１ギアまたは第２ギアに結合されることができる。
【００１４】
モータ部は、第１リンク部材の他端部または第３リンク部材の一端部に結合され、回転部は、モータ部が結合されない第３リンク部材の一端部または第１リンク部材の他端部に結合されることができ、また、モータ部は第２リンク部材の他端部または第４リンク部材の一端部に結合され、回転部はモータ部が結合されない第４リンク部材の一端部または第２リンク部材の他端部に結合されることができる。
【００１５】
回転部は、駆動軸に結合されるクラッチ部と、クラッチ部に接する被動軸を含み、モータ部の駆動力はクラッチ部と被動軸の間の摩擦力より小さく、クラッチ部と被動軸の間の摩擦力はモータ部のコギング（ｃｏｇｇｉｎｇ） トルクより小さいことが好ましい。クラッチ部と被動軸の間には一つ以上のワッシャが介在されることができる。
【発明の効果】
【００１６】
本発明の好ましい実施例によれば、ディスプレイを支持体から離隔させることができるのでディスプレイの回転角を確保することができ、このような離隔及び回転動作を自動及び受動で行うことができるので便宜性が増大され、受動で動作させる場合にもモータに無理をさせないので装置の耐久性が増加されることができる。
【発明を実施するための最良の形態】
【００１７】
以下では、添付された図面を参照して本発明による好ましいディスプレイエクステンション装置の実施例に対してより詳細に説明するが、添付図面を参照して説明することにおいて、図面符号に関係なく同一であるかまたは対応する構成要素は同一な参照番号を付与してこれに対する重複される説明は略する。
【００１８】
図１ａは、本発明の好ましい第１実施例によるディスプレイエクステンション装置の平面図であり、図１ｂは、図１ａの交差部の拡大断面図であり、図１ｃは、本発明の好ましい第１実施例によるディスプレイエクステンション装置の作動例示図である。図１ａ乃至図１ｃを参照すると、リンク部１０、支持体１１、移動体１２、第１ヒンジ部材１３ａ、第２ヒンジ部材１３ｂ、第１ガイド部材１４ａ、第２ガイド部材１４ｂ、第１リンク部材１５ａ、第２リンク部材１５ｂ、交差部１６、ユニバーサルジョイント１７、ディスプレイ１８、駆動部１９、モータ部１９ａ、回転部１９ｂが図示されている。
【００１９】
支持体１１は、リンク部１０が結合されるし、リンク部及びそれに結合された移動体を構造的に支持する部分であって、以下の詳細な説明及び図面では任意の形態と図示されているが、リンク部１０を壁面などに結合することに使用されることができるアンカーボルト、ブラケット、角材、板材などの媒介物を含む概念である。支持体１１はリンク部１０及び移動体１２及びディスプレイ１８の重量をすべて支持することができるほどに堅固ではなくてはならない。
【００２０】
リンク部１０は、第１ヒンジ部材１３ａ、第２ヒンジ部材１３ｂ、第１ガイド部材１４ａ、第２ガイド部材１４ｂ、第１リンク部材１５ａ、第２リンク部材１５ｂ、交差部１６で構成されている。
【００２１】
第１ヒンジ部材１３ａは、支持体１１に結合されているし、第１リンク部材１５ａの一端とヒンジ結合されている。第１ヒンジ部材１３ａと一定した距離で離隔された地点の支持体１１には第１ガイド部材１４ａが結合されている。第１ガイド部材１４ａには溝が形成されていて、第２リンク部材１５ｂの一端が結合した後直線運動ができるようになる。
【００２２】
また、第２リンク部材１５ｂと第１リンク部材１５ａは交差部１６でヒンジ結合する。交差部１６は第１リンク部材１５ａと第２リンク部材１５ｂの中心部地点である。また、交差部１６には駆動部１９が結合されていて第１及び第２リンク部材１５ａ及び１５ｂを回動させる。
【００２３】
一方、第１リンク部材１５ａの他端は、第２ガイド部材１４ｂの溝に結合されて直線運動をするし、第２リンク部材１５ｂの他端は移動体１２にヒンジ結合される。
【００２４】
このような第２ガイド部材１４ｂは、図１ａのように、移動体１２に一体に形成されることもできるが、分離結合されることもできる。図面に示すように移動体１２にはユニバーサルジョイント１７が結合されており、ユニバーサルジョイント１７にはディスプレイ１８が結合されて遊動されることができる。
【００２５】
図１ｂは、図１ａの交差部の拡大断面図であって、交差部１６には駆動部１９の回転部１９ｂが第１リンク部材１５ａと結合され、駆動部１９のモータ部１９ａは第２リンク部材１５ｂに結合されている。よって、回転部１９ｂが回転すると第１リンク部材１５ａと第２リンク部材１５は交差部１６を中心として回動し、結果的にリンク部１０に附着された移動体１２は支持体１１を基準として図１ｃのように支持体１１から遠くなるかまたは近くなる。一方、モータ部１９ａが第１リンク部材１５ａに結合され、回転部１９ｂが第２リンク部材１５ｂに結合されることもできる。
【００２６】
図２ａは、本発明の好ましい第２実施例によるディスプレイエクステンション装置の平面図であり、図２ｂは本発明の好ましい第２実施例によるディスプレイエクステンション装置の作動例示図である。第２実施例の場合、上記第１実施例と比べると駆動部２９の位置だけが異なり、その以外の構成要素の役割は同一であるので、以下相違点を主として説明する。
【００２７】
本実施例の駆動部２９は、モータ部２９ａと、上記モータ部２９ａの駆動軸２９ｂに結合されて上記駆動軸２９ｂの回転に応じて長さ方向に伸縮される伸縮部２９ｃを含む。図面に示すように、モータ部２９は第１ガイド部材２４ａに結合して第２リンク部材２５ｂの一端と対応して結合されている。したがって、駆動軸２９ｂの回転に応じて第２リンク部材２５ｂの一端を直線運動させるし結果的にリンク部２０のすべてを移動させることになる。このようなモータ部２９は、第２ガイド部材２４ｂに結合されることもできる。図２ｂは、本実施例によりリンク部２０がエクステンションされた状態を示している。
【００２８】
図３ａは、本発明の好ましい第３実施例によるディスプレイエクステンション装置の平面図であり、図３ｂは本発明の好ましい第３実施例によるディスプレイエクステンション装置の作動例示図である。図３ａと図３ｂを参照すると、リンク部３０、支持体３１、移動体３２、第１ヒンジ部３４ａ、第２ヒンジ部３４ｂ、第３ヒンジ部３４ｃ、第４ヒンジ部３４ｄ、第１リンク部材３５ａ、第２リンク部材３５ｂ、ユニバーサルジョイント３７、ディスプレイ３８、駆動部３９が示されている。
【００２９】
第３実施例は、第１リンク部材３５ａ及び第２リンク部材３５ｂの一端と他端がそれぞれ移動体３２と支持体３１にてヒンジ結合された形態である。これらは、第１乃至第４ヒンジ部３４ａ乃至３４ｄを軸として回動可能であるので移動体３２は所定の角でスイング（ｓｗｉｎｇ）動作をする。
【００３０】
一方、駆動部３９は、第１乃至第４ヒンジ部の３４ａ乃至３４ｄに結合されている。駆動部３９は、図１ｂに示すようにモータ部１９ａと回転部１９ｂを含み、回転部１９ｂの回転力により第１リンク部材３５ａと第２リンク部材３５ｂが一体に遊動することになる。本実施例は、第１ヒンジ部材３４ａに駆動部３９を結合する方式であるが、第２乃至第４ヒンジ部材の３４ｂ乃至３４ｄに結合されることもできる。
【００３１】
図３ｂは、第１及び第２リンク部材３５ａ及び３５ｂがスイング動作でエクステンションされた状態を示す。本実施例の残りの構成要素は第１実施例で説明したことと同じ役目をする。
【００３２】
図４ａは、本発明の好ましい第４実施例によるディスプレイエクステンション装置の平面図であり、図４ｂは本発明の好ましい第４実施例によるディスプレイエクステンション装置の作動例示図である。図４ａと図４ｂを参照すると、リンク部４０、支持体４１、移動体４２、第１リンク部材４５ａ、第２リンク部材４５ｂ、第３リンク部材４５ｃ、第４リンク部材４５ｄ、第５リンク部材４５ｅ、第６リンク部材４５ｆ、ユニバーサルジョイント４７、ディスプレイ４８、駆動部４９、モータ部４９ａ、ウォームギア部材４９ｃが図示されている。
【００３３】
本実施例は、第１及び第２ヒンジ部材の４３ａ及び４３ｂがそれぞれ支持体４１に一定した隔離距離を置いて結合される。第１及び第２ヒンジ部材の４３ａ及び４３ｂのそれぞれには第１リンク部材４５ａと第２リンク部材４５ｂの一端がヒンジ結合する。したがって、一定した角度で回動が可能である。また、第１及び第２リンク部材の４５ａ及び４５ｂの他端と第３及び第４リンク部材の４５ｃ及びｂ４５ｄの一端、第３及び第４リンク部材の４５ｃ及び４５ｄの他端と第５及び第６リンク部材の４５ｅ及び４５ｆの一端、第５及び第６リンク部材の４５ｅ及び４５ｆの他端と移動体４２もヒンジ結合されている。
【００３４】
一方、本実施例の場合、駆動部４９はモータ部４９ａと回転部（図示せず）及びウォームギア部材４９ｃを含み、モータ部４９ａは第４リンク部材４５ｄに付着固定され、ウォームギア部材４９ｃはねじ線が形成された棒の形態で第３リンク部材４５ｃを貫いてねじ結合されている。よって、回転部（図示せず）から動力が伝達されたウォームギア部材４９ｃの回転方向に応じて第３リンク部材４５ｃと第４リンク部材４５ｄは近接するかまたは遠くなる。結果的にリンク部４０がエクステンションまたは収縮される。図４ｂは、第３リンク部材４５ｃと第４リンク部材４５ｄとの近接によりリンク部４９がエクステンションされた状態を示す。また、モータ部４９ａが第３リンク部材４５ｃに固定されるしウォームギア部材４９ｃが第４リンク部材４５ｄに結合されても同一な機能をする。本実施例の残りの構成要素の機能は、第１実施例と同一であるので以下詳細な説明は略する。
【００３５】
一方、本実施例は６個のリンク部材を用いたが、４個のリンク部材を菱形でヒンジ結合し、対向されるリンク部材の間を図４ａのウォームギア部材４９ｃを含む駆動部４９を結合して用いることもできる。
【００３６】
図５ａと、図５ｂは本発明の好ましい第５実施例によるディスプレイエクステンション装置の平面図であり、図５ｃは本発明の好ましい第５実施例によるディスプレイを附着したディスプレイエクステンション装置の側面図である。図５ａないし図５ｃを参照すると、リンク部５０、支持体５１、移動体５２、第１ヒンジ部材５４ａ、第２ヒンジ部材５４ｂ、第３ヒンジ部材５４ｃ、第４ヒンジ部材５４ｄ、第５ヒンジ部材５４ｅ、第６ヒンジ部材５４ｆ、第１リンク部材５５ａ、第２リンク部材５５ｂ、第３リンク部材５５ｃ、第４リンク部材５５ｄ、ユニバーサルジョイント５７、ディスプレイ５８、アイドルギア５９ｃ、ディスプレイエクステンション装置５００が示されている。
【００３７】
本実施例は、２組のリンク部材を用いたディスプレイエクステンション装置である。第１リンク部材５５ａと第２リンク部材５５ｂの一端は、第１及び第２ヒンジ部材の５４ａ及び５４ｂにヒンジ結合されている。したがって、中心軸を基準として一定した角度で回動することができる。第１及び第２ヒンジ部材の５４ａ及び５４ｂは支持体５１に結合されている。また、第１リンク部材５５ａ及び第２リンク部材５５ｂの他端と第３リンク部材５５ｃ及び第４リンク部材５５ｄの一端、第３リンク部材５５ｃ及び第４リンク部材５５ｄの他端と移動体５２もそれぞれに対応される第３ないし第６ヒンジ部材の５４ｃ乃至５４ｆに結合されている。
【００３８】
一方、第１ないし第６ヒンジ部材の５４ａ乃至５４ｆに駆動部５９が結合してリンク部材を遊動させることができるが、本実施例の場合、第１ヒンジ部材５４ａと第２ヒンジ部材５４ｂにそれぞれ形成された第１ギア５４１ａと第２ギア５４１ｂの間に偶数のアイドルギア５９ｃを介在し、上記第１ギア５４１ａ 、第２ギア５４１ｂ、偶数のアイドルギア５９ｃの中の一つに駆動部５９を結合して動力を供給する方式でリンク部５０を駆動する。偶数個のアイドルギア５９ｃは、第１ギア５４１ａと第２ギア５４１ｂの回転方向を反対にしてリンク部材が円滑に作動するようにするし、同一な力で第１及び第２リンク部材５５ａ及び５５ｂを駆動するようにしていずれか一つのリンク部材に高負荷がかからないようにする。
【００３９】
本実施例では、第１ヒンジ部材５４ａと第２ヒンジ部材５４ｂに第１ギア５４１ａと第２ギア５４１ｂを結合し、その間に偶数のアイドルギア５９ｃ、そして駆動部５９を結合したが、同一な方式で第５ヒンジ部材５４ｅと第６ヒンジ部材５４ｆに結合されることもできる。一方、第１ギア５４１ａと第２ギア５４１ｂが直接噛合すれば、アイドルギア５９ｃを使用しなくてもリンク部材を駆動することができる。図５ｂと図５ｃはディスプレイエクステンション装置にディスプレイ５８が結合された形態の平面図と、側面図を示す。
【００４０】
本実施例の残り構成要素の作動方式は第１実施例と同一であるので以下詳細な説明は略する。
【００４１】
上記の実施例は、自動式のディスプレイエクステンション方式であって、ここで自動式とは、リモコンなどを用いた外部命令によりモータが作動してディスプレイをエクステンションする方式である。しかし、モータの力を用いないで受動でエクステンションすることもできるが、この際外力でモータの回転子を強制で回転させる場合モータの回転子（ｒｏｔｏｒ）が損傷され得る。以下、これを防止することができる駆動部の構造、特に回転部の構造に対して詳しく説明する。
【００４２】
図６は、本発明の好ましい第６実施例による駆動部の回転部断面図である。図６を参照すると、回転部６０、駆動軸６１、クラッチ部６１ａ、被動軸６２が図示されている。
【００４３】
本実施例は、第１乃至第５実施例に使用される駆動部の回転部に適用されることができる方式である。図６の駆動軸６１は、図１ｂに示す駆動部１０のモータ部１９ａに結合される部分であって、厳格に言えばモータの回転軸となる。駆動軸６１は被動軸６２とクラッチ部６１ａで結合されている。クラッチ部６１ａは摩擦力を調節する部分であって、図６のように駆動軸６１と一体に結合されるかまたは分離結合されることができる。また、被動軸６２に結合されることもできる。クラッチ部６１ａと被動軸６２の間にはワッシャ６１ｂが介在されていて一定した摩擦力を維持させる。
【００４４】
回転部６０の作動方法を説明すると、動力の伝達を受けた駆動軸６１の回転により上記第１ないし第５実施例のリンク部を駆動させるモータの駆動力はクラッチ部６１ａの摩擦力より小さいのでクラッチ部６１ａと被動軸６２はスリップ（ｓｌｉｐ）されない。しかし、外部から強制的に第１ないし第５実施例のリンク部を動かして被動軸６２を回転させる場合にはクラッチ部６１ａの摩擦力がモータのコギング（ｃｏｇｇｉｎｇ）トルクより小さいのでスリップ（ｓｌｉｐ）される。結果的に、外力によるモータの強制回転可能性が減る。
【００４５】
上記では本発明の好ましい実施例に対して説明したが、当該技術分野で通常の知識を持った者であれば下記の特許請求の範囲に記載された本発明の思想及び領域から脱しない範囲内で本発明を多様に修正及び変更させることができることを分かるだろう。
【図面の簡単な説明】
【００４６】
【図１ａ】本発明の好ましい第１実施例によるディスプレイエクステンション装置の平面図である。
【図１ｂ】図１ａの交差部の拡大断面図である。
【図１ｃ】本発明の好ましい第１実施例によるディスプレイエクステンション装置の作動例示図である。
【図２ａ】本発明の好ましい第２実施例によるディスプレイエクステンション装置の平面図である。
【図２ｂ】本発明の好ましい第２実施例によるディスプレイエクステンション装置の作動例示図である。
【図３ａ】本発明の好ましい第３実施例によるディスプレイエクステンション装置の平面図である。
【図３ｂ】本発明の好ましい第３実施例によるディスプレイエクステンション装置の作動例示図である。
【図４ａ】本発明の好ましい第４実施例によるディスプレイエクステンション装置の平面図である。
【図４ｂ】本発明の好ましい第４実施例によるディスプレイエクステンション装置の作動例示図である。
【図５ａ】本発明の好ましい第５実施例によるディスプレイエクステンション装置の平面図である。
【図５ｂ】本発明の好ましい第５実施例によるディスプレイエクステンション装置の平面図である。
【図５ｃ】本発明の好ましい第５実施例によるディスプレイを附着したディスプレイエクステンション装置の側面図である。
【図６】本発明の好ましい第６実施例による駆動部の回転部断面図である。
【符号の説明】
【００４７】
１０    リンク部
１１     支持体
１２     移動体
１３ａ   第１ヒンジ部材
１３ｂ   第２ヒンジ部材
１４ａ    第１ガイド部材
１４ｂ    第２ガイド部材
１５ａ    第１リンク部材
１５ｂ    第２リンク部材
１６      交差部
１７      ユニバーサルジョイント
１８      ディスプレイ
１９      駆動部
１９ａ    モータ部
１９ｂ    回転部
【図１ａ】
2007264634.tif 000003
【図１ｂ】
2007264634.tif 000004
【図１ｃ】
2007264634.tif 000005
【図２ａ】
2007264634.tif 000006
【図２ｂ】
2007264634.tif 000007
【図３ａ】
2007264634.tif 000008
【図３ｂ】
2007264634.tif 000009
【図４ａ】
2007264634.tif 000010
【図４ｂ】
2007264634.tif 000011
【図５ａ】
2007264634.tif 000012
【図５ｂ】
2007264634.tif 000013
【図５ｃ】
2007264634.tif 000014
【図６】
2007264634.tif 000015